(57)【要約】【課題】非接触式給電部材と非接触式受電部材とからなる給電ユニットを用い、出入り口ドアに設けられた足元灯等の電気装置に従来のようにケ−ブルで配線し給電する必要がなく、機能性、外観性に優れたドア装置を提供することである。【解決手段】ドア取付け開口枠Ｗの開口上枠２を中空状型材で形成し、非接触式給電部材１１と非接触式受電部材１２とからなる給電ユニット１の該非接触式給電部材１１を上記開口上枠２の中空状型材内に内設するとともに、上記給電ユニット１の非接触式受電部材１２をドア本体Ｄの上端部を形成するドア上枠３内に内設し、ドア本体Ｄを閉じたとき上記非接触式給電部材１１と非接触式受電部材１２とが相対向するよう設置してなるドア装置。【選択図】図２
2013159989.tif 000002
【特許請求の範囲】
【請求項１】
ドア取付け開口枠の開口上枠を中空状型材で形成し、非接触式給電部材と非接触式受電部材とからなる給電ユニットの該非接触式給電部材を上記開口上枠の中空状型材内に内設するとともに、上記給電ユニットの非接触式受電部材をドア本体の上端部を形成するドア上枠内に内設し、ドア本体を閉じたとき上記非接触式給電部材と非接触式受電部材とが相対向するよう設置してなるドア装置。
【発明の詳細な説明】
【技術分野】
【０００１】
本願発明はドアの構造に関するものであり、詳しくは、出入り口に設けられるドアのドア本体に、ケーブル等で配線することなく、非接触方式でドア本体に設けられた足元灯等の電気装置に給電する非接触式給電ユニットを備えたドア装置に関するものである。
【背景技術】
【０００２】
従来、一般住宅、マンション、オフィスビル等の開口部に取り付けられるドア本体に足元灯や表示灯等の照明用や、モニターカメラ、人感センサ、さらには、電気錠やカードロックシステム等のセキュリティ用等、各種の電気装置を備えたドア装置が知られている。
【０００３】
上記各種電気装置を備えたドア装置においては、これらの装置を機能させるためには、いずれの場合でも屋外からの電源配線を、ドア開口部からドア本体を通じての配線として電気装置に接続しなければならず、この配線のための施工が大変に面倒で、手間がかかるという問題がある。
【０００４】
また、上記配線は、通常、ケーブルによって行われるが、ドアが回動する度に屈曲するため、ケーブルには繰り返しの曲げ応力に耐えるだけの強度が要求される。あるいは、曲げ応力をかかりにくくするために、ケーブルをコイル状としたりする等、その配設方法にも考慮する必要がある。
【０００５】
上記問題を解決するために、例えば、特開平９−３１７３４６号公報には、 給電を必要とする電気装置を有するドアをドア開口部に開閉自在に取付けたドア構造において、ドアとドア開口部の各々には非接触給電部材を設けてこれらを相互に対向させ、ドアに設けた非接触給電部材と電気装置とを接続するとともに、ドア開口部に設けた非接触給電部材は屋外からの電気配線に接続することを特徴とする非接触給電式ドア構造が開示されている。
【０００６】
そして、上記特開平９−３１７３４６号公報の図１に示されているように、ドア本体に備えられた足元灯や表示灯等の照明用や、モニターカメラ、人感センサ等の電気装置に配線接続され、自らもドア本体に取り付けられている非接触給電部材（４Ａ）と、ドア開口部に備えられ、建物の壁面等の躯体の配線を通じて屋外からの電気配線に接続される非接触給電部材（４Ｂ）とが、ドア用ヒンジに配設された態様が示されている。
【０００７】
そして、ドアの開閉動作に伴う摩擦、屈曲等によって配線が損傷されることがないため、感電の危険もなく、配線も見えることがないため、外観性にも優れたものとなるという効果が述べられている。
【先行技術文献】
【特許文献】
【０００８】
【特許文献１】特開平９−３１７３４６号公報
【発明の概要】
【発明が解決しようとする課題】
【０００９】
しかしながら、上記特許文献１に記載の技術においては、ドア開口部に備えられ、交流電源に接続されフェライトコアとコイルとからなる非接触給電部材が、ドア本体に取り付けられ、同じくフェライトコアとコイルとからなる非接触給電部材を励磁して電流を流す構造であるため、特許文献１の図５に示されているように非接触給電部材をドア用ヒンジ
に配設した場合、ドアを回動して開けたときでもヒンジ部に納装されたお互いの非接触給電部材間の距離が十分大きくならないため、ドア回動による開度の変動を感知しにくいという問題がある。
【００１０】
このため、ドアを開けた状態においても、該ドアに納装された足元灯等の電気装置は通電状態が維持される場合があり、ドアを開けたとき該電気装置への通電を遮断したいときの使用態様において、問題が生ずるおそれがあった。
【００１１】
さらに、上記非接触給電部材をドア用ヒンジ部に配設する際その納装空間が十分でなく、従って、作業性が悪く、多くの手間を要し、メンテナンスも困難であるという問題があった。
【００１２】
本願発明は上記背景技術に鑑みてなしたものであり、その目的は、交流電源からの電力を非接触式給電部材と非接触式受電部材とからなる給電ユニットで構成する共に、該給電ユニットの納装作業を簡単に行え、かつ、ドアを開いたとき給電ユニットの給電機能が略完全に停止されるようにし、ドアに設けられた足元灯や、モニターカメラ、人感センサ等の電気装置への給電を、必要な場合に、自動的に停止できるドア装置を提供することである。
【課題を解決するための手段】
【００１３】
上記課題を解決するために、本願請求項１に記載の発明に係るドア装置では、ドア取付け開口枠の開口上枠を中空状型材で形成し、非接触式給電部材と非接触式受電部材とからなる給電ユニットの該非接触式給電部材を上記開口上枠の中空状型材内に内設するとともに、上記給電ユニットの非接触式受電部材をドア本体の上端部を形成するドア上枠内に内設し、ドア本体を閉じたとき上記非接触式給電部材と非接触式受電部材とが相対向するよう設置してなることを特徴としている。
【発明の効果】
【００１４】
本願請求項１記載の発明に係るドア装置においては、給電ユニットの非接触式給電部材が上記開口上枠を構成する中空状型材内に内設され、上記給電ユニットの非接触式受電部材をドア本体の上端部を形成するドア本体上枠内に埋設等の手段によって内設しているため、給電ユニットをドアヒンジ部に設置する場合に比較してその納装空間を十分に確保でき、従って、給電ユニットの納装作業が容易となると共に、該給電ユニットが外部から見えることがなく、ドア開口部とドア本体との間に従来のようにケーブル等の配線が露出することもなく、外観上、見栄えのよいものとなる。
【００１５】
また、従来のドア施工のための建築業者と、配線のための電気業者との施工日程の調整や、作業の打ち合わせ等を行う必要がなく、能率的にドア装置の設置を行うことができる。すなわち、省施工でドア本体の取り付け時に給電工事も完了するという作業性に優れたものとなる。
【００１６】
また、ドア装置としての本来機能を有するとともに、ケーブル等の配線を用いないため、摩擦、屈曲等による配線の損傷や、感電の心配がなく、機能性や外観性に優れたドア装置を提供することができる。
【図面の簡単な説明】
【００１７】
【図１】本願発明に係るドア装置の概略構成であってドア本体を開けた状態で示す斜視図である。
【図２】（ａ）上記ドア本体を閉じたときの開口枠の開口上枠を含む本願発明に係るドア装置の要部を示す断面説明図である。（ｂ）図１のＸ−Ｘ線に沿う断面でドア本体の下部を示す部分断面説明図である。
【図３】非接触式給電部材と非接触式受電部材とからなる給電ユニットを引き戸に適用した例を示す説明図である。
【発明を実施するための形態】
【００１８】
以下、本願発明に係るドア装置の実施形態を、図面を参照して詳細に説明する。図１は、上記ドア装置の概略構成であってドア本体Ｄを開けた状態で示す斜視図である。
【００１９】
図１に示すように、上記ドア装置はドア取付け用開口枠Ｗとこの開口枠Ｗにヒンジ８によって回動自在に取り付けられたドア本体Ｄとからなるとともに、上記開口枠Ｗの開口上枠２には非接触式給電部材１１が、中空状型材からなるこの開口上枠２内に外部から見えないように内設されている。
【００２０】
また、ドア本体Ｄのドア上枠３には非接触式受電部材１２が、このドア上枠３内に埋設等の手段で外部から見えないように内設され、この非接触式給電部材１１と非接触式受電部材１２とで給電ユニット１が構成されている。
【００２１】
同図に示すように、上記ドア本体Ｄの下部には足元灯４が備えられ、ドア本体Ｄは室内と室外、例えば部屋と廊下とを仕切るように設けられている。そして上記ドア本体Ｄは、通常は閉じられており、ドア本体Ｄへの給電が行われている。
【００２２】
図２（ａ）は、上記ドア本体Ｄを閉じたときの開口枠Ｗの開口上枠２を含む本願発明に係るドア装置の要部を示す断面説明図である。図２（ａ）に示すように、建物の躯体５に固定された上記開口上枠２はアルミ製あるいはプラスチック製等の中空状型材で形成され、この開口上枠２の内部には給電ユニット１の非接触式給電部材１１が内設され、この非接触式給電部材１１は、電源ケーブル６によっての交流電源に接続されている。なお、図２（ａ）において、符号７はドアストッパーを示す。
【００２３】
また、上記ドア本体Ｄのドア上枠３の内部には給電ユニット１の非接触式受電部材１２が内設され、ドア本体Ｄが閉じられた状態のとき、上記非接触式給電部材１１と非接触式受電部材１２とは上下相対向するように配設されている。上記非接触式給電部材１１と非接触式受電部材１２とを、例えばフェライトコアとコイルとから構成することによって、交流電源によって励磁された非接触式給電部材１１からの磁力により、非接触式受電部材１２に給電され、例えば足元灯４等の電気装置に電流が流れるのであり、この電気装置は非接触で給電されている。
【００２４】
上記給電ユニット１の取付け位置はとくに限定されないが、非接触式給電部材１１は、ヒンジ８から開口上枠２の幅の１/３以上、好ましくは１／２以上離して開口上枠２に内設される。同様に、非接触式受電部材１２は、ヒンジ８からドア上枠３の幅の１/３以上、好ましくは１／２以上離し、上記非接触式給電部材１１と相対向するようドア上枠３に内設される。
【００２５】
このようにすることによって、上記非接触式給電部材１１と非接触式受電部材１２とが外部から見えることがなく、また従来、ドア開口部とドア本体との間に通じていたケーブル等の配線が露出することがなく、外観上、見栄えのよいドア装置とすることができる。
【００２６】
図２（ｂ）は、図１のＸ−Ｘ線に沿う断面でドア本体Ｄの下部を示す部分断面説明図である。図２（ｂ）に示すように、ドア本体Ｄの下部に、例えば光源としてＬＥＤを用いる足元灯４を設置したとき、ドア本体Ｄが閉じられているときは給電ユニット１が作動し、上記非接触式受電部材１２から、図示しない電気配線（図示せず）を経て足元灯４のＬＥ
Ｄに通電されて点灯する。
【００２７】
通常、上記ドア本体Ｄは、出入りするとき以外は閉じられているため、夜間は点灯によってドア本体Ｄの位置を容易に知ることができ、また、常夜灯として終夜、廊下を照明することができる。
【００２８】
部屋に入るとき、室外側のドアノブを回してドア本体Ｄを少しでも開けると、図１に示すように、ヒンジ８と給電ユニット１との間の距離が十分大きいから、ヒンジ８を支点として非接触式受電部材１２が非接触式給電部材１１から大きく離間回動し、上記非接触式給電部材１１と非接触式受電部材１２との対向状態が大きく崩れる。そして、直ちに足元灯４への給電は停止され、消灯する。ドア本体Ｄを閉じると同時に、正確に、かつ迅速に足元灯４が点灯し、夜間等に安全に廊下を歩行することができる。
【００２９】
また、ドア本体Ｄに図示しない小型の蓄電池を内設し、ドア本体Ｄが閉のとき、非接触式受電部材１２からの給電で常時蓄電する回路を設けてもよい。そして、ドア本体Ｄの開閉に連動して開閉するリミットスイッチを付設し、このリミットスイッチを介して非接触式給電部材１１と非接触式受電部材１２との対向状態が崩れたときに、上記蓄電池から上記足元灯４へ電流が流れるようにしてもよい。
【００３０】
このようにすることによって、暗い廊下から室内に入ったときや屋外から帰宅したとき、ドア本体Ｄを開けて給電ユニット１の対向状態を解除すると同時に、室内の足元を照らすこともできる。
【００３１】
図３は、上記非接触式給電部材１１と非接触式受電部材１２とからなる給電ユニット１を引き戸Ｈに適用した例を示す説明図である。図３において、非接触式給電部材１１は上かまち９に内設されるとともに、非接触式受電部材１２は引き戸Ｈの上部に内設されるため、既述のドア取付け用開口枠Ｗの開口上枠２に非接触式給電部材１１を内設し、ドア本体Ｄのドア上枠３に非接触式受電部材１２を内設した形態と同様な構成となる。
【００３２】
そして、足元灯４等の電気装置に非接触で給電され、夜間には引き戸Ｈの位置を容易に知ることができ、また、常夜灯として、終夜、廊下を照明することができる。
【００３３】
なお、上記実施形態は、ドア本体Ｄや引き戸Ｈの下部に設けた足元灯４を例にして説明したが、ドア本体Ｄの採光部の周囲に発光部を設け、夜間の常夜灯や間接照明として用いてもよい。あるいは、ドアノブの周囲に発光部を配置し、ドアノブ周辺を照明させることによってドアノブの位置を見易くするようにしてもよい。
【００３４】
あるいは、モニターカメラ、人感センサ、さらには、電気錠やカードロックシステム等のセキュリティ用等、各種の電気装置に適用してもよい。このように本願発明は設計変更自在であり、特許請求の範囲を逸脱しない限り、本願発明の技術的範囲に含まれる。
【符号の説明】
【００３５】
Ｄ      ドア本体
Ｗ      ドア取付け用開口枠
Ｈ      引き戸
１      給電ユニット
１１    非接触式給電部材
１２    非接触式受電部材
２      開口上枠
３      ドア上枠
４      足元灯
５      躯体
６      電源ケーブル
７      ドアストッパー
８      ヒンジ
９      上かまち
【図１】
2013159989.tif 000003
【図２】
2013159989.tif 000004
【図３】
2013159989.tif 000005